(57)【要約】【課題】装飾部材を配置した表示板が薄板状であっても、表示板の変形などを抑えて品質的に良好な表示装置を提供する。【解決手段】表示領域を有する薄板状の表示板１１と、この表示板１１の背後に配置され表示板１１を支持する支持部材１３と、表示領域の周囲を囲むように表示板１１上に配置された飾りリング１４，１４Ａ（装飾部材）とを備え、飾りリング１４，１４Ａは表示板１１を介して支持部材１３の前面部２７に固着される。【選択図】  図２
2004264087.tif 000002
【特許請求の範囲】
【請求項１】
表示領域を有する薄板状の表示板と、この表示板の背後に配置され前記表示板を支持する支持部材と、前記表示領域の周囲を囲むように前記表示板上に配置された装飾部材とを備え、前記装飾部材は前記表示板を介して前記支持部材に固着されていることを特徴とする表示装置。
【請求項２】
表示領域を有する薄板状の表示板と、前記表示領域の前方に配置され前記表示板の後方に配置された表示器本体の作動に応じて回動する指針と、前記表示板の背後に配置され前記表示板を支持する支持部材と、前記表示領域の周囲を囲むように前記表示板上に配置された装飾部材と、前記表示板に設けられ前記指針の指針軸が挿通される貫通穴と、この貫通穴の周縁に配置された固定リングとを備え、前記装飾部材および前記固定リングは前記表示板を介して前記支持部材に固着されていることを特徴とする表示装置。
【請求項３】
前記表示領域の周囲に環状の凹部を形成し、この凹部内に前記装飾部材を配置したことを特徴とする請求項１または請求項２に記載の表示装置。
【発明の詳細な説明】
【０００１】
【発明の属する技術分野】
本発明は、例えば車両用の表示装置に関し、特に表示装置の表示領域周囲に装飾部材を配置した表示装置に関するものである。
【０００２】
【従来の技術】
例えば車両用の計器装置（表示装置）において、速度計や燃料計などの表示領域周囲に装飾部材としての飾りリングを装着して表示領域を区分けしたり、装飾性や立体感を付与するものとして、例えば特許文献１がある。特許文献１において、図１は見返し板１３に飾りリング２０Ａを設けたものであり、図２は文字板７に飾りリング２０Ｂを設けたものである。
【０００３】
【特許文献１】
特開２００１−３４３２５９号公報
【０００４】
【発明が解決しようとする課題】
しかしながら、前記特許文献１の図２に示した様に文字板７に飾りリング２０Ｂなどを固着した場合、文字板７の板厚が薄いために振動が加わった際、飾りリング２０Ｂ箇所を中心として文字板７が振れたり、振れによってその箇所付近のみならず、文字板７の他箇所においても変形が生じる虞がある。なお、図１に示す様に見返し板１３に飾りリング２０Ａを固着した場合は、見返し板１３に剛性があるため特に問題とはならない。
【０００５】
本発明はこの様な点に鑑みなされたもので、装飾部材を配置した表示板が薄板状であっても、表示板の変形などを抑えて品質的に良好な表示装置を提供することを目的とする。
【０００６】
【課題を解決するための手段】
本発明は前記課題を解決するため、表示領域を有する薄板状の表示板と、この表示板の背後に配置され前記表示板を支持する支持部材と、前記表示領域の周囲を囲むように前記表示板上に配置された装飾部材とを備え、前記装飾部材は前記表示板を介して前記支持部材に固着されているものである。
【０００７】
また、表示領域を有する薄板状の表示板と、前記表示領域の前方に配置され前記表示板の後方に配置された表示器本体の作動に応じて回動する指針と、前記表示板の背後に配置され前記表示板を支持する支持部材と、前記表示領域の周囲を囲むように前記表示板上に配置された装飾部材と、前記表示板に設けられ前記指針の指針軸が挿通される貫通穴と、この貫通穴の周縁に配置された固定リングとを備え、前記装飾部材および前記固定リングは前記表示板を介して前記支持部材に固着されているものである。
【０００８】
また、前記表示領域の周囲に環状の凹部を形成し、この凹部内に前記装飾部材を配置したものである。
【０００９】
【発明の実施の形態】
本発明を、車両用の表示装置を実施形態として説明する。図１は表示装置の正面図であり、図２はその断面図である。なお、本発明における表示領域とは、表示板に設けた表示部およびその周辺を指すものである。
【００１０】
表示装置は、表示器としての例えば水温計１，油圧計２および燃料計３を備えており、硬質な回路基板４と、この回路基板４の裏面側に回路基板４と導通状態で装着され、回路基板４を貫通して前方に延びる回動軸５を有する水温計１用の表示器本体６および燃料計２用の表示器本体６Ａ（油圧計３用の表示器本体は図示せず）と、回動軸５の先端側に固着される指針軸７や指示部８を有する水温計１用の指針９，油圧計２用の指針９Ａおよび燃料計３用の指針９Ｂと、この各指針９，９Ａ，９Ｂの後方に配置され指針９，９Ａ，９Ｂの指針軸７が挿通される貫通穴１０を設けた表示板１１と、回路基板４上に実装され指針９，９Ａ，９Ｂや表示板１１を背後から照明する光源としての発光ダイオード１２，１２Ａと、表示板１１と回路基板４との間に配置され表示板１１を支持する支持部材１３を備えている。
【００１１】
また、表示板１１上には装飾部材としての飾りリング１４，１４Ａと、貫通穴１０の周縁に固定リング１５がそれぞれ配置してある。さらに、回路基板４の裏面側を覆うカバー１６と、表示板１１の周縁に沿った前方側に配置され表示板１１の可視領域を定める開口部１７を有する例えば黒色の覆い部材１８と、指針９，９Ａ，９Ｂや表示板１１などの前方側を被う無色透明の透視板１９を備えている。
【００１２】
表示板１１は、図２に示す様に、その盤面に対して直交する方向に高さを異ならせて（段差を有して）形成されている。本実施形態の場合、支持部材１３側に位置する第１の平面部２０と、この第１の平面部２０より前方側（透視板１９側）に位置する第２の平面部２１とを有している。そして、第１の平面部２０内に水温計１と油圧計２に関する目盛，文字，数字などのそれぞれの表示部２２，２２Ａが設けてあり（水温計１と油圧計２では表示項目が異なる）、第２の平面部２１の所定範囲内には水温計１や油圧計２とは異なる表示項目である燃料計３に関する目盛，文字，マークなどの表示部２２Ｂが設けてあり、それぞれの表示領域を有している。
【００１３】
上述した表示板１１は、詳細は図示しないが、厚さが０．１〜１．５ｍｍの薄板状の無色透明な合成樹脂からなる基板の表面側に各表示部２２，２２Ａ，２２Ｂとなる例えば白色の透過性表示層を印刷によって設け、表示部２２，２２Ａ，２２Ｂを除いて地部２３となる例えば黒色の地色層を印刷によって設けたものである。そして、印刷後に曲げ加工により第１の平面部２０および第２の平面部２１を形成する。この際、燃料計３に関する目盛，文字などの表示部２２Ｂが設けてある表示領域の周囲に環状の凹部２４を曲げ加工によって形成する。この凹部２４の底面と第１の平面部２０の底面とは同一高さ（深さ）であり、かつ繋がっている。なお、曲げ加工はプレス成形，圧空成形，真空成形など如何なる方法であっても良い。
【００１４】
指針９，９Ａ，９Ｂは、無色透明な合成樹脂からなる指示部８と、指針軸７と、指示部８の基部周囲（指針軸７の上方）を覆う遮光部材としての黒色の指針キャップ２５を備えている。この指針９，９Ａ，９Ｂは指針軸７を表示器本体６，６Ａの回動軸５の先端側に圧入することによって表示器本体６，６Ａに固着されている。また、指示部８の裏面には白色の箔（図示せず）がホットスタンプされている。
【００１５】
支持部材１３は遮光性のある白色の合成樹脂からなり、回動軸５の周囲に配置された指針９，９Ａ，９Ｂ照明用の発光ダイオード１２を囲む筒部２６と、表示板１１が支持される前面部２７や外周壁２８などを有している。前面部２７は表示板１１にほぼ合った形状となっている（段差がある）。
【００１６】
飾りリング１４，１４Ａは、合成樹脂の表面にクロームメッキを施したものである。第１の平面部２０に設けられた水温計１と油圧計２の表示領域周囲を囲む飾りリング１４は円環状であり、燃料計３の表示領域周囲を囲む様に凹部２４内に配置された飾りリング１４Ａは、水温計１側が切れた円環状となっている。この飾りリング１４，１４Ａは、リング部２９の裏面から間隔を空けて複数のピン３０が一体に設けてある。そして、表示板１１および支持部材１３の前面部２７に設けられた孔にピン３０を挿入し、リング部２９と前面部２７とで表示板１１を挟んだ状態で配置してピン３０の下端を溶かすことによって飾りリング１４，１４Ａを前面部２７に固着する。なお、飾りリング１４，１４Ａの固着はフック止めでも良いし、接着剤を塗布しても良く、その方法は任意である。
【００１７】
固定リング１５は、表示板１１の貫通穴１０周縁を支持部材１３に固定するものであり、円筒部３１と鍔部３２を有する黒色の合成樹脂からなる。すなわち、支持部材１３の前面部２７に表示板１１を載置した後、円筒部３１を表示板１１側から支持部材１３の筒部２６内に挿入する。すると、鍔部３２が貫通穴１０の周縁に当接した状態で円筒部３１下端に設けた複数の係止部３３が筒部２６内壁の先端側に係止するようになっている。なお、固定リング１５を支持部材１３に固着する方法は任意である。
【００１８】
この様に構成された表示装置において、指針９，９Ａ，９Ｂの指示部８は白色で視認されるが、指針９，９Ａ，９Ｂ照明用の発光ダイオード１２が例えば赤色で点灯した時は指示部８が赤色で発光する。この際、表示板１１の貫通穴１０周縁と指針キャップ２５との間に環状の固定リング１５が設けてあることにより、発光ダイオード１２の光が表示板１１と指針キャップ２５との間から周囲に洩れて、表示装置を視認する上で悪影響を与えないようになっている。すなわち、固定リング１５は表示板１１の貫通穴１０周縁を支持部材１３に固定するとともに漏光防止用でもある。また、表示板１１の各表示部２２，２２Ａ，２２Ｂは白色で視認されるが、発光ダイオード１２Ａが例えば赤色で点灯した時は赤色で透過表示するようになっている。
【００１９】
この様に、水温計１と油圧計２との表示領域の周囲と燃料計３の表示領域周囲に、装飾部材としての飾りリング１４，１４Ａを表示板１１を挟んだ状態で配置して支持部材１３の前面部２７に固着したことにより、装飾部材としての機能を満足させながら、飾りリング１４，１４Ａを配置した表示板１１が薄板状であっても、表示板１１の変形などを抑えることができる。
【００２０】
また、指針を備えた表示装置においては、表示領域周囲に飾りリング１４，１４Ａを表示板１１を挟んだ状態で配置して前面部２７に固着するとともに、固定リング１５で指針９，９Ａ，９Ｂの指針軸７が挿通される表示板１１の貫通穴１０周縁を挟んだ状態で支持部材１３の円筒部３１に固着するようにしたことにより、薄板状の表示板１１であっても表示板１１の振れや変形などをより抑えることができるとともに、装飾部材としての機能も満足させることができる。さらに、図２に示す様に表示板１１の外周縁を覆い部材１８と支持部材１３とで挟み込むようにすれば、表示板１１の振れなどに対してより効果がある。
【００２１】
また、表示板１１に環状の凹部２４を設けたことにより表示板１１の剛性が増し、剛性の増した凹部２４内に飾りリング１４Ａを配置して支持部材１３の前面部２７に固着するようにしたことにより、表示板１１の変形などがより起こりにくくなる。
【００２２】
なお、本実施形態においては、水温計１と油圧計２の二つの表示領域を囲むように飾りリング１４を配置したが、それぞれの表示領域を囲む飾りリングを設けても良い。あるいは、水温計１，油圧計２，燃料計３のいずれかの表示領域のみを囲む飾りリングであっても良い。また、飾りリング１４，１４Ａの形状や色調なども任意である。また、燃料計３用の表示部２２Ｂは全て第２の平面部２１上に設ける必要はなく、例えば目盛表示部は、第２の平面部２１と凹部２４を結ぶ壁面上に設けてあっても良い。また、表示板１１は高さが異なる（段差を有する）平面部２０，２１や凹部２４を形成したが平板であっても良い。但し、段差が有った方がより立体感が増す。
【００２３】
【発明の効果】
以上詳述したように、本発明によれば、装飾部材を配置した表示板が薄板状であっても、表示板の変形などを抑えて品質的に良好な表示装置を得ることができる。
【図面の簡単な説明】
【図１】本発明の実施形態を示す表示装置の正面図。
【図２】同実施形態を示す表示装置の断面図。
【符号の説明】
６，６Ａ  表示器本体
７  指針軸
９，９Ａ，９Ｂ  指針
１０  貫通穴
１１  表示板
１３  支持部材
１４，１４Ａ  飾りリング（装飾部材）
１５  固定リング
２２，２２Ａ，２２Ｂ  表示部
２４  凹部
【図１】
2004264087.tif 000003
【図２】
2004264087.tif 000004